【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
アプリケーションファイル、フォルダなどのデータオブジェクトを、装置画面上において特徴付けるイメージ画像であるアイコンによって表わし、画面上におけるアイコンに対する指示操作によって該当のデータオブジェクトを記憶手段内の所望格納先に保存したり、データオブジェクトの内容を画面上に表示するアイコン操作環境を有する情報処理装置におけるファイルデータマージ方法であって、  
データオブジェクトのアイコンを、その属性を表わす見出し語と関連付けた形で配置管理するファイル管理表を画面上に表示するファイル管理表の表示手段と、少なくとも、表中に記入されている各文字列についてコード列情報と位置情報とを備えた文字列データを収めたファイル管理表データの格納手段を備えた装置において、
表上の記入文字列、または、装置の項目名入力手段を介して入力された文字列を上記の各見出し語の項目名として識別するステップと、
定まった複数の項目に属するデータの組み合わせであるレコードをその構成単位とするデータファイルを表わすアイコンを、装置画面上における移動指示操作によりファイル管理表上の所望の位置に移動配置するステップと、
アイコンの配置位置とファイル管理表上の各見出し語の文字列データ位置情報とを照合することによって、配置アイコンと特定の位置関係にある見出し語とその項目名を、各々、該当のデータファイルの共通属性を表わす関連データとその項目名として識別するステップと、
上記識別した項目名を、データファイルを構成する項目に追加した上、識別した関連データをデータファイルの共通条件値として、その各構成レコードに付加するステップと、
からなる方法。
【請求項２】
アプリケーションファイルデータ、フォルダなどのデータオブジェクトを、装置画面上において特徴付けるイメージ画像であるアイコンによって表わし、画面上におけるアイコンに対する指示操作により該当のデータオブジェクトを記憶手段内の所望格納先に保存したり、データオブジェクトの内容を画面上に表示するアイコン操作環境を有する情報処理装置におけるデータオブジェクトの命名方法であって、  
データオブジェクトのアイコンを、データオブジェクトの属性を表わす見出し語と関連付けた形で配置管理するファイル管理表を画面上に表示するファイル管理表の表示手段と、少なくとも、表中に記入されている各文字列についてコード列情報と位置情報とを備えた文字列データを収めたファイル管理表データの格納手段を備えた装置において、
データオブジェクトを表わすアイコンを、装置画面上における移動指示操作によりファイル管理表上の所望の位置に移動配置するステップと、
アイコンの配置位置とファイル管理表上の各見出し語の文字列データ位置情報とを照合することによって、アイコン配置位置と表内の同一行上、または表内の同一列上に記入されている文字列を、該当データオブジェクトの属性を表わす見出し語である関連データ文字列として識別するステップと、
予め定めた第１の規則によって、識別した各関連データ文字列から、目的の名称の構成要素となる関連データ変換文字列を生成するステップと、
予め定めた第２の規則にしたがって、上記の各名称構成文字列を順に接続することによって、該当データオブジェクトの名称文字列を得るステップと、
からなる方法。
【請求項３】
ファイル管理表上の記入文字列、または、装置の項目名入力手段を介して入力された文字列をファイル管理表上の各見出し語の属する項目名として識別するステップとを備え、
属する項目名ごとに定まる規則によって、関連データ文字列から関連データ変換文字列を生成し、属する項目名の間に定めた順序にしたがって、各関連データ変換文字列を接続することによって該当データオブジェクトの名称文字列を得る請求項２に記載の方法。
【請求項４】
上記項目名ごとに定まる第１の規則として複数の方法を備えた装置にあって、
装置に設けた画面位置指示手段によって装置画面上から表上の位置を指示するステップと、
上記指示位置に配置されるアイコンに対して付与したい名前を構成する各関連データ変換文字列を、装置に設けた目的関連データ変換文字列入力手段を介して入力するステップと、
上記指示位置について表上から関連データ文字列を読み取った上、読み取った関連データ文字列から、上記第１の規則として該当する項目について用意した全ての方法に基づいて関連データ変換文字列を生成するステップと、
上記目的関連データ変換文字列入力手段によって入力した各関連データ変換文字列について、表上から読み取った関連データ文字列から生成した全ての関連データ変換文字列とを比較照合するステップと、
を備え、上記第１の規則として適用する方法を各項目ごとに決定する請求項３に記載の方法。
【請求項５】
アプリケーションファイルデータ、フォルダなどのデータオブジェクトを、装置画面上において特徴付けるイメージ画像であるアイコンによって表わし、画面上におけるアイコンに対する指示操作により該当のデータオブジェクトを記憶手段内の所望格納先に保存したり、アプリケーションファイルデータの内容を画面上に表示するアイコン操作環境を有する情報処理装置であって、  
データオブジェクトのアイコンを、データオブジェクトの属性を表わす見出し語と関連付けた形で配置管理するファイル管理表を画面上に表示するファイル管理表の表示手段と、
少なくとも、表中に記入されている各文字列についてコード列情報と位置情報とを備えた文字列データを収めたファイル管理表データの格納手段と、
表上の記入文字列、または、装置の項目名入力手段を介して入力された文字列を上記の各見出し語の項目名として識別する手段と、
定まった複数の項目に属するデータの組み合わせであるレコードをその構成単位とするデータファイルを表わすアイコンを、装置画面上における移動指示操作によりファイル管理表上の所望の位置に移動配置する手段と、
アイコンの配置位置とファイル管理表上の各見出し語の文字列データ位置情報とを照合することによって、配置アイコンと特定の位置関係にある見出し語とその項目名を、各々、該当のデータファイルの共通属性を表わす関連データとその項目名として識別する手段と、
上記識別した項目名を、データファイルを構成する項目に追加した上、識別した関連データをデータファイルの共通条件値として、その各構成レコードに付加する手段と、
からなることを特徴とするファイルデータマージ装置。
【請求項６】
アプリケーションファイルデータ、フォルダなどのデータオブジェクトを、それを装置画面上において特徴付けるイメージ画像であるアイコンによって表わし、画面上におけるアイコンに対する指示操作により該当のデータオブジェクトを記憶手段内の所望格納先に保存したり、データオブジェクトの内容を画面上に表示するアイコン操作環境を有する情報処理装置であって、  
データオブジェクトのアイコンを、データオブジェクトの属性を表わす見出し語と関連付けた形で配置管理するファイル管理表を画面上に表示するファイル管理表を表示する手段と、
少なくとも、表中に記入されている各文字列についてコード列情報と位置情報とを備えた文字列データを収めたファイル管理表データの格納手段と、  
データオブジェクトを表わすアイコンを、装置画面上における移動指示操作によりファイル管理表上の所望の位置に移動配置する手段と、
アイコンの配置位置とファイル管理表上の各見出し語の文字列データ位置情報とを照合することによって、アイコン配置位置と表内の同一行上、または表内の同一列上に記入されている文字列を、該当データオブジェクトの属性を表わす見出し語である関連データ文字列として識別する手段と、
予め定めた第１の規則によって、識別した各関連データ文字列から、目的の名称の構成要素となる関連データ変換文字列を生成する手段と、
予め定めた第２の規則にしたがって、上記の各名称構成文字列を順に接続することによって、該当データオブジェクトの名称文字列を得る手段と、
からなることを特徴とするデータオブジェクト命名装置。
【請求項７】
アプリケーションファイル、フォルダなどのデータオブジェクトを、装置画面上において特徴付けるイメージ画像であるアイコンによって表わし、画面上におけるアイコンに対する指示操作によって該当のデータオブジェクトを記憶手段内の所望格納先に保存したり、データオブジェクトの内容を画面上に表示するアイコン操作環境を有した上、データオブジェクトのアイコンを、その属性を表わす見出し語と関連付けた形で配置管理するファイル管理表を画面上に表示するファイル管理表の表示手段と、少なくとも、表中に記入されている各文字列についてコード列情報と位置情報とを備えた文字列データを収めたファイル管理表データの格納手段を備えた情報処理装置において、
表上の記入文字列、または、装置の項目名入力手段を介して入力された文字列を上記の各見出し語の項目名として識別するステップと、
定まった複数の項目に属するデータの組み合わせであるレコードをその構成単位とするデータファイルを表わすアイコンを、装置画面上における移動指示操作によりファイル管理表上の所望の位置に移動配置するステップと、
アイコンの配置位置とファイル管理表上の各見出し語の文字列データ位置情報とを照合することによって、配置アイコンと特定の位置関係にある見出し語とその項目名を、各々、該当のデータファイルの共通属性を表わす関連データとその項目名として識別するステップと、
上記識別した項目名を、データファイルを構成する項目に追加した上、識別した関連データをデータファイルの共通条件値として、その各構成レコードに付加するステップと、
からなることを特徴とする情報処理装置におけるファイルデータマージ方法をコンピュータによって実現させるための制御プログラム、または、同制御プログラムを格納した記憶媒体。
【請求項８】
アプリケーションファイルデータ、フォルダなどのデータオブジェクトを、装置画面上において特徴付けるイメージ画像であるアイコンによって表わし、画面上におけるアイコンに対する指示操作により該当のデータオブジェクトを記憶手段内の所望格納先に保存したり、データオブジェクトの内容を画面上に表示するアイコン操作環境を有した上、
データオブジェクトのアイコンを、データオブジェクトの属性を表わす見出し語と関連付けた形で配置管理するファイル管理表を画面上に表示するファイル管理表の表示手段と、少なくとも、表中に記入されている各文字列についてコード列情報と位置情報とを備えた文字列データを収めたファイル管理表データの格納手段を備えた情報処理装置において、
データオブジェクトを表わすアイコンを、装置画面上における移動指示操作によりファイル管理表上の所望の位置に移動配置するステップと、
アイコンの配置位置とファイル管理表上の各見出し語の文字列データ位置情報とを照合することによって、アイコン配置位置と表内の同一行上、または表内の同一列上に記入されている文字列を、該当データオブジェクトの属性を表わす見出し語である関連データ文字列として識別するステップと、
予め定めた第１の規則によって、識別した各関連データ文字列から、目的の名称の構成要素となる関連データ変換文字列を生成するステップと、
予め定めた第２の規則にしたがって、上記の各名称構成文字列を順に接続することによって、該当データオブジェクトの名称文字列を得るステップと、
、を有することを特徴とする情報処理装置におけるファイル名称付与方法をコンピュータによって実現させるための制御プログラム、または、同制御プログラムを格納した記憶媒体。